(57)【要約】【課題】  バウンス撮影を行うことのできるストロボ装置において、カメラを縦位置に構えた時にはバウンス撮影を容易に行うことは困難であった。【解決手段】  反射板と照射装置とを固定する中継部を回動自在の反射板支持部とし、前記回動自在な反射板支持部と反射板の固定方法は容易に着脱可能でかつ、前記回動自在な反射板支持部を回転中心として反射板は所定角度の回動が可能な機構とすることで、反射板を自在に可変可能としたことでカメラが縦位置でのバウンス撮影の煩わしさを無くし、容易に正位置と縦位置の両方の撮影が行なえるようにした。【選択図】  図７
2006243105.tif 000002
【特許請求の範囲】
【請求項１】
閃光を放射する閃光放射部を有する照射装置と、前記閃光放射部の光射出部側に照射方向可変部材を設け、該照射方向可変部材にて閃光放射部から放射する光束の一部を任意の方向に指向させるようにしたストロボ装置において、前記照射方向可変部材はストロボ本体との中継部分に前記照射装置に対し略垂直に回動自在の支持部により保持されていることを特徴とするストロボ装置。
【請求項２】
前記照射方向可変部材は、前記回動自在の支持部を中心軸として所定角度の回動が可能なことを特徴とする請求項１に記載のストロボ装置。
【請求項３】
前記回動自在の支持部は、ストロボ本体から着脱可能に構成されていることを特徴とする請求項２に記載のストロボ装置。
【請求項４】
前記照射方向可変部材は、両面に光束を反射させる反射部を備えたことを特徴とする請求項１乃至３のいずれかに記載のストロボ装置。
【発明の詳細な説明】
【技術分野】
【０００１】
本発明は、バウンス撮影を行うことのできるストロボ装置に関するものである。
【背景技術】
【０００２】
従来より、閃光照射部材を備えたストロボ装置を用いて、撮影時の被写体の細やかな表情や色合いを再現するために、照射装置から照射される閃光を直接被写体へ照射させるのでなく、壁や天井などに反射させて光を和らげて撮影を行う手法（いわゆるバウンス撮影）が知られている。
【０００３】
また、拡散板を用いた従来技術として、特許文献１では、反射板にて反射した光束を拡散板にて拡散、減光させてレンズなどに遮られることなく被写体にまんべんなく照射して撮影する方法が開示されている。
また、特許文献２では、照射角変換用アダプターと反射板を照射装置の上部に収納できるようにして小型化を図ったストロボ装置が開示されている。
【特許文献１】特開平０９−０１５６９１号公報
【特許文献２】実開平０６−００２３４５号公報
【発明の開示】
【発明が解決しようとする課題】
【０００４】
しかしながら、特許文献１では、拡散板と反射板が同一部材上に構成されていて、拡散板を反射板の上部へ引き出すので、外部からの衝撃などで破損しやすい。これは、ストロボ装置を小型化すればするほど拡散板と反射板の厚みを薄くしなければならないので、小型化には不向きであるといえる。
【０００５】
また、特許文献２では、拡散板と反射板が別体となっていて小型化には向いている。しかし、カメラが正位置での撮影においては問題ないが、縦位置撮影では反射板が発光部の上部へ配置されないので良好なバウンス撮影を行うことができないという問題が生じる。
【課題を解決するための手段】
【０００６】
本発明に係るストロボ装置は、閃光を放射する閃光放射部を有する照射装置と、前記閃光放射部の光射出部側に照射方向可変部材を設け、該照射方向可変部材にて閃光放射部から放射する光束の一部を任意の方向に指向させるようにしたストロボ装置において、前記照射方向可変部材はストロボ本体との中継部分に前記照射装置に対し略垂直に回動自在の支持部により保持されていることを特徴とする。
【発明の効果】
【０００７】
本発明によれば、撮影者の望む任意の角度に自在に変更できる反射板を備えることで、従来不向きであったカメラが縦位置でのバウンス撮影を容易に行うことが可能になる。また、従来の装置より構成も簡単で安価で強度のある反射板を装着できる利点もある。さらに、バウンス撮影を容易に行うことができ、表現や色合いを忠実に再現できる撮影が可能になるので、最適画像を得ることができる。
【発明を実施するための最良の形態】
【０００８】
（実施例１）
以下、本発明を図面を用いて詳細に説明する。図１は、本発明のストロボ装置の一実施例を示す正面図である。この図は、反射板使用を行なわない直接照射を行う場合を示した図である。ストロボ装置本体１の発光部前面にはフレネル形状を配した拡散板２が回転可能に取り行けられている。拡散板２の後方には不図示の閃光放電管が配置されていて、この閃光放電管を発光させると前記拡散板２を通して拡散光が照射される。前記拡散板２の上部には光束が照射される方向に対して略１８０度回転が自在な反射板支持アーム４、５が取り付けられている。さらに、この反射板支持アーム４，５を回動自在に支持するための回転支持部６、７がストロボ装置本体１側に固定されている。
【０００９】
図２は、反射板３の単体構成を示す図であり、反射板３には前記反射板固定アーム４、５に係止するための係止部３−１、３−２が設けてある。図２−Ａは反射板３の底面、図２−Ｂは側面、図２−Ｃは前面からそれぞれ目視した図である。ここで、係止部３−１、３−２は反射板３に一体的に形成されて略Ｃ字型形状をしており、若干の弾性を有し開口部分は前記反射板支持アーム４、５に取り付ける際に弾性変形をして開口部分が拡大し反射板支持アーム４、５のアーム部にそれぞれに密着し係止される。
【００１０】
係止された後は所定の負荷により反射板支持アーム４，５を中心として３６０度の回転が可能であるため、撮影に必要な角度を撮影者が任意に設定できる。
【００１１】
図３乃至図６は、前記反射板支持アーム４と回転支持部６との関係を示したもので、図３においてストロボ装置本体１に固定される台座部３１−１、その上部にアーム固定部３１−２が設けられている。アーム固定部３１−２には反射板支持アーム抜け止め部４−１、４−２を貫通させる切り欠き部３−３、３−３が設けてあり、該切り欠き部３−３、３−３を通してアーム固定部３１−２の下部に前記反射板支持アーム抜け止め部４−１、４−２を半時計回りに回転させて移動させることにより反射板支持アーム４の抜け止めと保持をおこなう。８は、反射板の軸方向への抜け止め部である。
【００１２】
図４は、反射板支持アーム４がアーム固定部３１−２により固定されている状態を示したものであり、反射板支持アーム４を図３に示した位置より時計方向へ略４５度回転した状態である。
【００１３】
図５は、その時の反射板支持アーム４の斜視図である。図６は、通常位置での反射板支持アーム４が縦位置撮影に対応した位置へ回動した時の斜視図である。
【００１４】
図３において、反射板支持アーム４をアーム固定部３１−２に挿入させるのは反射板３を実際に使用するときに挿入位置で使用することは無いからであり、反射板３を使用しないときはもう一方の反射板支持アーム５とも固定されるのでストロボ装置本体１より抜け落ちることは無い。
【００１５】
次に、実際の反射板の使用形態について説明をする。図７は、反射板３を使用しない状態から正位置での反射板使用状態を示したものである。反射板３は、図に示すようにＡ位置からＣ位置間で回動可能であり、撮影者の望む任意の角度で照射光束を可変にすることができる。先述した反射板支持アーム４、５を回転軸中心として、反射板３はＡ位置からＣ位置まで可変することが可能で、摩擦等の所定の負荷を掛けて反射板３を移動させるだけなので撮影者は容易に操作できる。そのため、ポートレート撮影や接写時に好みに合わせてストロボ装置からの光束を被写体側へ照射することが出来るので撮影手法の幅が広がることは言うまでも無い。図８は、縦位置撮影を行う時の反射板３と反射板支持アーム４，５の第１の状態を示す図である。反射板３は２つの反射板支持アーム４、５により保持されていることは先に説明したが、縦位置撮影で使用する場合はストロボ装置を縦位置に構えた時に下側に位置する反射板支持アーム５に係止されている係止部３−２を反射板支持アーム５から外す必要がある。
【００１６】
図８では、不図示のカメラ本体のレリーズスイッチを下側に構えた時に縦位置撮影を行なうための反射板３の第１の状態を示している。図８において、反射板３の外す側の反射板支持アーム５を押さえながら反射板３を上部へ引っ張りあげて反射板支持アーム５から係止部３−２を外すようにすればよい。
【００１７】
次の展開について図９にて説明をする。反射板３の係止部３−２が反射板支持アーム５から外れたら、反射板支持アーム５を光束の照射方向に９０度以上回動させる。これは反射板３が反射板支持アーム５に当接しないようにするためである（図９―Ａの状態）。次に、反射板支持アーム５を回動させた後に、反射板３を反射板支持アーム４と共に光束の照射方向に略９０度回動させる（図９−Ｂの状態）。図９−Ｂの状態で反射板３を回動させると拡散板２に当接してしまうので、光束の照射方向に反射板３を所定量引き出すようにしている。図１０は、その状態を示した展開図である。Ａ点からＢ点へ反射板を引き出すが、反射板支持アーム４の先端に固定されている反射板抜け止め８により反射板３の引き出し量を規制されるので反射板３が反射板支持アーム４より抜けてしまうることはない。図１１に最終の展開図を示す。反射板３を反射板支持アーム４の先端に引き出した後に、反射板３を支持アーム４を回転中心として半時計回りに９０度回動させる（図１１−Ａの状態）。その後、所望の反射角度に反射板３を微調整する（図１１−Ｂの状態）。
【００１８】
このように、反射板３を反射板支持アームをアーム固定部回動中心として様々な角度に変化させることが可能なので幾通りもの反射角度を作り出すことができる。その複数の反射角度を利用した反射照射光を利用することで撮影者は最適な撮影状態を容易に得る事が出来る。また、従来の装置に比べ、スペースや複雑な機構を要する事無く安価で使い勝手の優れた反射板を備えたストロボ装置を提供することができる。
【図面の簡単な説明】
【００１９】
【図１】本発明によるストロボ装置の実施例を示す正面図である。
【図２】本発明による反射板の三面図である。
【図３】本発明による回転支持部の回転機構を示す説明図である。
【図４】本発明による反射板支持アームの回転機構を示す説明図である。
【図５】本発明による反射板支持アームを示す斜視図である。
【図６】本発明によるストロボ装置を示す部分斜視図である。
【図７】本発明によるストロボ装置の斜視図である。
【図８】本発明によるストロボ装置の正面図である。
【図９】本発明によるストロボ装置の斜視図である。
【図１０】本発明によるストロボ装置の部分平面図である。
【図１１】本発明によるストロボ装置の斜視図である。
【符号の説明】
【００２０】
１  ストロボ装置本体
２  拡散板
３  反射板
４、５  反射板支持アーム
６、７  回転支持部
【図１】
2006243105.tif 000003
【図２】
2006243105.tif 000004
【図３】
2006243105.tif 000005
【図４】
2006243105.tif 000006
【図５】
2006243105.tif 000007
【図６】
2006243105.tif 000008
【図７】
2006243105.tif 000009
【図８】
2006243105.tif 000010
【図９】
2006243105.tif 000011
【図１０】
2006243105.tif 000012
【図１１】
2006243105.tif 000013